(57)【要約】【課題】清掃部材の取り外しが容易に行える清掃部材保持具を提供する。【解決手段】  柄３が連結される保持具本体２１と、前記保持具本体２１から互いに水平面内で反対方向へ突出するとともに、少なくとも一方が前記突出位置と下方側に折り込まれた折り畳み位置との間で回動可能に枢支されて、前記突出位置で清掃部材（パイル体）１の上面側の一対の被保持部１２Ａ、１２Ｂをそれぞれ差し込み保持する一対の保持片３１、３２と、前記折り畳み可能な保持片３２と前記保持具本体２１とのいずれか一方３２（２１）に突設された弾性片３６ａ、３６ｂの先端部と他方２１（３２）に形成されて、前記折り畳み可能な保持片３２の突出位置で互いに係脱可能に係合する係合手段４０と、前記保持具本体２１に設けられた係合解除手段５０とを備える。【選択図】        図３
2005237587.tif 000002
【特許請求の範囲】
【請求項１】
柄が連結される保持具本体と、前記保持具本体から互いに水平面内で反対方向へ突出するとともに、少なくとも一方が前記突出位置と下方側に折り込まれた折り畳み位置との間で回動可能に枢支されて、前記突出位置で清掃部材の上面側の一対の被保持部をそれぞれ差し込み保持する一対の保持片と、これらの保持片のいずれか一方に突設された弾性片の先端部と、他方の保持片に形成されて、前記折り畳み可能な保持片の突出位置で互いに係脱可能に係合して該保持片を突出状態に保持させる係合手段と、前記保持具本体に設けられて、押圧操作で前記弾性片を弾性変形させて前記係合手段の係合状態を解除させる係合解除手段と、を備えていることを特徴とする清掃部材保持具。
【請求項２】
前記保持具本体は、その下面側に、前記保持片の突出方向と水平面内で直交する方向の両側にそれぞれ位置して該突出方向へ沿った側壁を有しており、前記折り畳み可能な保持片を互いに水平面内で平行に前記各側壁内面に沿って延びる一対のアームを介して前記保持具本体側に枢支する一方、他方の保持片を保持具本体に一体形成し、前記一対のアームの各外面に該アームに沿って延びる弾性片をそれぞれ一体形成する請求項１に記載の清掃部材保持具。
【請求項３】
前記保持具本体は、その下面側に、前記保持片の突出方向と水平面内で直交する方向の両側にそれぞれ位置して該突出方向へ沿った側壁を有しており、前記折り畳み可能な保持片を互いに水平面内で平行に前記各側壁内面に沿って延びる一対のアームを介して前記保持具本体側に枢支する一方、他方の保持片を保持具本体に一体形成し、前記一対のアームの各外面に該アームに沿って延びる弾性片をそれぞれ一体形成し、前記係合手段を、前記弾性片の各先端に形成された係止突起と前記側壁の各内面に形成された係合孔部とで構成し、前記係合解除手段を、前記両側壁にそれぞれ切り込み形成された一対の弾性片部と、これら弾性片部に支持されて、該側壁の各外面側からの押し込み操作で前記係止突起を係合孔部から離脱させる押しボタンとから構成してなる請求項１に記載の清掃部材体保持具。
【請求項４】
前記請求項１、２又は３に記載の清掃部材保持具に保持される清掃部材であって、該清掃部材の左右上面に一対の被保持部を形成して、これらの被保持部に前記清掃部材保持具を構成する一対の保持片をそれぞれ差し込み、前記清掃部材保持具に装着されることを特徴とする清掃部材。
【請求項５】
前記請求項１、２又は３に記載の清掃部材保持具と清掃部材から構成され、前記清掃部材保持具に前記清掃部材を装着して組み立てられることを特徴とする清掃用具。
【発明の詳細な説明】
【技術分野】
【０００１】
本発明は、床などを掃いたり拭いたりする清掃用具、及び前記清掃用具を構成する清掃部材及び清掃部材保持具に関し、更に詳細には、折り畳み可能な保持片と保持具本体に一体形成された保持片を有し、種々の清掃部材を簡単に着脱することができる清掃部材保持具と、この清掃部材保持具によって保持される一対の被保持部を有し、前記清掃部材保持具から容易に着脱できる清掃部材と、前記清掃部材保持具及び清掃部材から構成される清掃用具に関する。
【背景技術】
【０００２】
清掃部材が装着された種々の清掃用具では、使用しているうちに前記清掃部材が汚れてくるので、これを交換できるように該清掃部材を清掃部材保持具に対して着脱できるものが広く普及している。
【０００３】
従来の清掃部材保持具として、比較的簡単な構成で清掃部材を清掃部材保持具に着脱できるようにした技術が知られている（例えば、特許文献１）。
【０００４】
図８の清掃部材保持具は、特許文献１に開示するモップ支持具の係止メカニズムを強調し、単純化して示している。図８に示すように、図示しない柄の連結部１０１が形成された保持具本体１０２に、清掃部材１０７における一対の被保持部１０７ａ、１０７ｂにそれぞれ差し込み保持させるために、水平面内で互いに反対方向へ突出する一対の保持片１０３、１０４を設け、一方の保持片１０３を前記保持具本体１０２に一体形成し、他方の保持片１０４の基端部を前記保持具本体１０２の下面側に位置して前記突出位置（実線で示す位置）と下方側に垂れる折り畳み位置（鎖線で示す位置）との間で回動可能に枢支し、前記折り畳み可能な保持片１０４の上面に、前記保持具本体１０２に形成された係合孔１０５に係脱可能に係合する係止突片１０６を上向きに一体形成したものである。
【０００５】
この清掃部材保持具によれば、前記保持片１０３、１０４を清掃部材１０７の被保持部１０７ａ、１０７ｂにそれぞれ差し込んでから折り畳み可能な保持片１０４を突出位置に回動させると、前記係止片１０６が係合孔１０５に係合し、両保持片１０３、１０４により清掃部材１０７を装着・保持でき、また、前記係止片１０６の先端を指で押して前記係合孔１０５から外せば、前記保持片１０４が下方に回動変移し、これにより前記清掃部材１０７の一方の被保持部１０ｂが該保持片１０４から滑落し、これに伴って他方の被保持部１０７ａも保持片１０３が外れるようになっている。
【特許文献１】特開平６−１５４１４５号公報
【発明の開示】
【発明が解決しようとする課題】
【０００６】
しかし、上記した従来のものは、清掃部材を清掃部材保持具から外す際に、前記係止片１０６の先端を押して強制的に撓まさないと、係合孔１０５から外すことができず、操作になかなか手間がかるという問題がある。
【０００７】
本発明は、上記実情に鑑みてなされたものであり、清掃部材の取り外しが容易に行え、使いやすい清掃部材保持具を提供することを課題としている。
【課題を解決するための手段】
【０００８】
本発明は、上記課題を達成するためになされたものであり、柄が連結される保持具本体と、前記保持具本体から互いに水平面内で反対方向へ突出するとともに、少なくとも一方が前記突出位置と下方側に折り込まれた折り畳み位置との間で回動可能に枢支されて、前記突出位置で清掃部材の上面側の一対の被保持部をそれぞれ差し込み保持する一対の保持片と、これらの保持片のいずれか一方に突設された弾性片の先端部と、他方の保持片に形成されて、前記折り畳み可能な保持片の突出位置で互いに係脱可能に係合して該保持片を突出状態に保持させる係合手段と、前記保持具本体に設けられて、押圧操作で前記弾性片を弾性変形させて前記係合手段の係合状態を解除させる係合解除手段と、を備えている清掃部材保持具である。
【０００９】
本発明の第２の形態は、前記保持具本体が、その下面側に、前記保持片の突出方向と水平面内で直交する方向の両側にそれぞれ位置して該突出方向へ沿った側壁を有しており、前記折り畳み可能な保持片を互いに水平面内で平行に前記各側壁内面に沿って延びる一対のアームを介して前記保持具本体側に枢支する一方、他方の保持片を保持具本体に一体形成し、前記一対のアームの各外面に該アームに沿って延びる弾性片をそれぞれ一体形成する清掃部材保持具である。
【００１０】
本発明の第３の形態は、前記保持具本体が、その下面側に、前記保持片の突出方向と水平面内で直交する方向の両側にそれぞれ位置して該突出方向へ沿った側壁を有しており、前記折り畳み可能な保持片を互いに水平面内で平行に前記各側壁内面に沿って延びる一対のアームを介して前記保持具本体側に枢支する一方、他方の保持片を保持具本体に一体形成し、前記一対のアームの各外面に該アームに沿って延びる弾性片をそれぞれ一体形成し、前記係合手段を、前記弾性片の各先端に形成された係止突起と前記側壁の各内面に形成された係合孔部とで構成し、前記係合解除手段を、前記両側壁にそれぞれ切り込み形成された一対の弾性片部と、これら弾性片部に支持されて、該側壁の各外面側からの押し込み操作で前記係止突起を係合孔部から離脱させる押しボタンとから構成してなる清掃部材体保持具である。
【００１１】
本発明の第４の形態は、第１、第２又は第３の形態における清掃部材保持具に保持される清掃部材であって、該清掃部材の左右上面に一対の被保持部を形成して、これらの被保持部に前記清掃部材保持具を構成する一対の保持片をそれぞれ差し込み、前記清掃部材保持具に装着される清掃部材である。
【００１２】
本発明の第５の形態は、第１、第２又は第３の形態における清掃部材保持具と清掃部材から構成され、前記清掃部材保持具に前記清掃部材を装着して組み立てられる清掃用具である。
【発明の効果】
【００１３】
本発明の第１の形態によれば、一対の保持片を清掃部材における一対の被保持部に差し込んでから、少なくとも一方が折り畳み可能な保持片を突出位置まで回動させれば、前記係合手段の係合により該保持片の突出状態が保持されて、前記一対の保持片を介して清掃部材を装着でき、また、前記係合解除手段による押圧するだけの簡単な操作により、前記係合手段の係合が解除されて折り畳み可能な保持片が突出位置から折り畳み位置に回動するので、前記清掃部材がその自重で保持片から滑落し、該清掃部材を取り外すことができる。清掃部材としては、パイル体やクロス体が装着されたモップ、又はブラシ状、スポンジ状若しくはローラー状等の清掃部材を適用することができる。
【００１４】
本発明の第２の形態によれば、清掃部材保持具に形成された一対の保持片の内、折り畳み可能な保持片の枢支構造や係止構造が簡素化されるから、前記清掃部材保持具の構成部材数を削減することができる。従って、前記清掃部材保持具の組み立て工程も簡素化され、清掃部材保持具の製造コストを一層低減することができる。更に、前記折り畳み可能な保持片を一対のアームを介して保持具本体に枢支してあるので、この保持片の回動変移における動作の安定化を図ることができる。
【００１５】
本発明の第３の形態によれば、一対の保持片の内、一方のみを折り畳み可能にした構成であるから、折り畳み可能な保持片の枢支構造や係止構造の簡素化に対応でき、更に、前記折り畳み可能な保持片を一対のアームを介して保持具本体に枢支してあるので、この保持片の回動変移における動作の安定化が図れ、また、前記係止突起が設けられている弾性片を保持具本体の側面の押しボタンを外側方から押し込み操作するだけ、簡単に係止突起と係合孔部との係合を解除できる。
【００１６】
本発明の第４の形態によれば、被清掃対象物に当接する清掃部材の清掃面は、パイル体、クロス体、ブラシ体又はスポンジ体などから形成することができ、前記清掃部材は清掃部材保持具から着脱することが容易であるから、前記清掃対象物に応じて種々の清掃部材を適応することができる。
【００１７】
本発明の第５の形態によれば、清掃部材保持具に清掃部材を装着して組み立てられる清掃用具を使用し、前記清掃部材が汚れた場合、使用者が直接清掃部材に触れることなく、簡単に清掃部材を交換することができる。
【発明を実施するための最良の形態】
【００１８】
以下、本発明の実施形態を図面に基づいて説明する。以下の実施形態では、清掃部材としてパイル体が装着された清掃部材保持具から構成されるモップを清掃用具の実施例として示している。
【００１９】
図１は、本発明の実施形態に係る清掃部材保持具を備えたモップを示す外観斜視図、図２は、清掃部材保持具の分解斜視図、図３は、図１のＸ−Ｘ線に沿った底面断面図である。
【００２０】
図１〜図３において、このモップは、パイル体１と、パイル体１を保持するための清掃部材保持具２とを備えており、清掃部材保持具２に清掃操作用ハンドルとしての柄３が着脱可能に連結されるようになっている。
【００２１】
前記パイル体１は、例えば平面形状が長楕円形の基材部１１と、被保持部１２Ａ、１２Ｂとからなる。
【００２２】
前記基材部１１は、例えば化繊などから厚手のシ−ト状に形成されており、その下面および全周縁には、多数の糸状体ないしは紐状体１１ａからなるはたき状物が縫いつけられている。
【００２３】
前記被保持部１２Ａ、１２Ｂは、例えば袋状に形成されるとともに、前記基材部１１の上面における左右方向（矢印ｂ方向）の両端部に互いに開口１２ａ、１２ｂが対向するように、該基材部１１に縫い付けられており、後述する一対の保持片が差し込まれるようになっている。勿論、この被保持片１２ａ、１２ｂは、袋状のように先端が閉塞しているものに限られるものではない。
【００２４】
前記清掃部材保持具２は、保持具本体２１と、この保持具本体２１に設けられた左右一対の保持片３１、３２と、保持片３２の突出位置を保持させるための係合手段４０と、この係合手段４０の係合を解除する係合解除手段５０とを備えている。
【００２５】
前記保持具本体２１は、合成樹脂などからなり、その上面には、前記柄３が連結される連結部４が設けられている。
【００２６】
この連結部４は、例えば前記保持具本体２１に立設成された左右一対の軸支部４１、４１間に枢支されて前後方向（矢印ａ方向）へ回動変移可能なＵ字形の可動軸支部材４２と、この可動軸支部材４２に枢支されて、左右方向（矢印ｂ方向）へ回動変移可能な中空棒状の連結基体４３とからなり、いわゆるユニバーサルジョイントを構成している。
【００２７】
前記連結基体４３における小径の上端部４５の外周面には、弾性を有する切り込み片４６が形成されており、この切り込み片４６の外面には、突部４７が形成されている。
【００２８】
前記柄３は、例えば管状体からなり、その下端外周面には、前記突部４７が係脱可能に係合する係合孔３１が形成されている。
【００２９】
前記保持具本体２１の下面側は、前後両則に位置して左右方向へ延びる前後一対の側壁２２ａ、２２ｂを存在させるように、空所２３が形成されている。
【００３０】
前記側壁２２ａ、２２ｂの内面には、左端寄りに位置してそれぞれ前後の軸受け用ボス部２４ａ、２４ｂが一体形成されており、各軸受け用ボス部２４ａ、２４ｂの先端面には、図３に示すように、軸受け孔２５ａ、２５ｂがそれぞれ形成されている。
【００３１】
また、前記側壁２２ａ、２２ｂの内面には、それぞれ右端部に位置して、係合孔部の一例として係合凹部２８ａ、２８ｂが形成されている。
【００３２】
前記一対の保持片３１、３２は、それぞれの先端部の上面が先端に向かう下り勾配をもつように斜面３１ａ、３２ａで構成されており、全体として、例えば略スコップを裏返した形状に形成されている。
【００３３】
これら保持片３１、３２のうちの一方、例えば左側の保持片３１は、前記保持具本体２１に一体形成されており、また、右側の保持片３２は、同じく合成樹脂などにより別体に成形されるともに、その左端（基端）側には、互いに水平面内で平行で前記保持具本体２１側の側壁２２ａ、２２ｂの各内面にそれぞれ対向する位置まで延びる前後一対のア−ム３４ａ、３４ｂが突設されている。
【００３４】
これらアーム３４ａ、３４ｂの各先端部の外面には、枢軸３５ａ、３５ｂが設けられており、これら枢軸３５ａ、３５ｂを前記保持具本体２１側における軸受け孔２５ａ、２５ｂにそれぞれ嵌入させることにより、前記右側の保持片３２が前記保持具本体２１に対して前記突出位置と下方側に折り込まれた折り畳み位置との間で回動変移可能に枢支されている。なお、前記右側の保持片３２の中央に一本のアームを突設して保持具本体２１に対して支持させることも可能であるが、この例のように、前後方向で一定間隔を存して配設される一対のアーム３４ａ、３４ｂを突設してあると、前記保持片３２の回動変移がより安定して行われる。
【００３５】
これらアーム３４ａ、３４ｂの各外面には、それぞれ前記枢軸３５ａ、３５ｂの近傍に位置から立ち上がり、かつアーム３４ａ、３４ｂの基端側に向かって延びる略Ｌ字形の前後一対の弾性片３６ａ、３６ｂが一体形成されている。
【００３６】
これら一対の弾性片３６ａ、３６ｂの各先端部の外面には、右側の保持片３２が前記突出位置まで回動した際に、前記側壁２２ａ、２２ｂにおける係合凹部２８ａ、２８ｂにそれぞれ係脱可能に係合するピン形の係止突起３７ａ、３７ｂが一体形成されており、これら係止突起３７ａ、３７ｂは、前記係合凹部２８ａ、２８ｂとにより、前記右側の保持片３２の突出位置を保持するための係合手段４０を構成している。また、係止突起３７ａ、３７ｂの端面がテーパ面に形成された場合には、前記凹部２８ａ、２８ｂから係止突起３７ａ、３７ｂが脱離した際に、テーパ面の作用により、前記保持片３２の回動変移が効果的に行われる。即ち、保持片３２の自重によりテーパ面で滑るため、保持片３２の回動が効率的に行われる利点がある。
【００３７】
なお、前記弾性片３６ａ、３６ｂがアーム３４ａ、３４ｂの基端側から先端側に向かって延びたものであっても、上記係止構造を採ることができる。
【００３８】
また、前記弾性片３６ａ、３６ｂをアーム３４ａ、３４ｂとは別体にして保持片３２に形成することも可能である。
【００３９】
ところで、前記係止突起３７ａ、３７ｂの各先端面は平坦のままでもよいが、この例では、前記係合凹部２８ａ、２８ｂへの係合が一層スムースに行われるように、図６に示すように、上端側に向うにつれて下降勾配となる傾斜面３７０ａ、３７０ｂで構成してある。
【００４０】
また、前記側壁２２ａ、２２ｂには、前記軸受け孔２５ａ、２５ｂの右側近傍位置から前記係合凹部２８ａ、２８ｂに略対応する位置まで延びる前後一対の弾性片部２６ａ、２６ｂがそれぞれ切り込み形成されている。
【００４１】
これら弾性片部２６ａ、２６ｂの各先端部外面には、押し込み操作で前記弾性片３６ａ、３６ｂを変形させて前記係止突起３７ａ、３７ｂを前記係合凹部２８ａ、２８ｂから離脱させる押しボタン２７ａ、２７ｂがそれぞれ一体形成されている。各押しボタン２７ａ、２７ｂを弾性片２６ａ、２６ｂとは別体に成形したものであってもよい。
【００４２】
これら押しボタン２７ａ、２７ｂは、前記弾性片部２６ａ、２６ｂとの協働により、前記係合手段３７ａ、３７ｂの係合凹所２８ａ、２８ｂへの係合状態を解除する係合解除手段５０を構成している。
【００４３】
上記構成において、右側の保持片３２における一対のアーム部３４ａ、３４ｂを互いに近づく方向へ撓ませた状態にして、該アーム部３４ａ、３４ｂ側の枢軸３５ａ、３５ｂを保持具本体２１側における軸受け孔２５ａ、２５ｂに嵌入させれば、前記右側の保持片３２が保持具本体２１に対して折り畳み可能に枢支される。勿論、上記構成とは逆に、右側の保持片３２を保持具本体２１に一体形成し、左側の保持片３１を保持具本体２１に対して折り畳み可能に枢支する構成であってもよい。
【００４４】
一方、前記保持具本体２１の上面の連結部４における上端部４５に、前記柄３の下端開口を外嵌させれば、前記連結部４における突部４７が柄３側の係合孔３１に係合されて、前記柄３がモップ用清掃部材保持具２に取り付けられる。逆に、上記突部４７を押し込んで柄３を引き抜き操作すれば、該突部４７の係合孔３１に対する係合が解除されて柄３を外すことができる。勿論、柄３は、モップ用清掃部材保持具２に直結されたものであってもよい。
【００４５】
ついで、このモップ用清掃部材保持具２の使用手順を説明する。まず、前記右側の保持片３２を図５（５Ｂ）に示すように折り畳んだ状態にしてから、前記パイル体１の上面から両保持片３１、３２をパイル体１における被保持部１２Ａ、１２Ｂにそれぞれ差し込みながら清掃部材保持具２をパイル体１の上面に押し付けると、前記右側の保持片３２が突出位置まで回動するので、前記両保持片３１、３２が図５（５Ａ）に示すように、前記被保持部１２Ａ、１２Ｂに完全に差し込まれる。この時、前記右側の差し込み片３２における係止突起３７ａ、３７ｂがそれぞれ図３および図４（４Ａ）に示すように、保持具本体２１側における係合凹部２８ａ、２８ｂに係止されるので、前記右側の保持片３２が図５（５Ａ）に示すように、突出状態に維持され、簡単にパイル体１がモップ用清掃部材保持具２に装着されてモップとなる。そして、前記柄３を把持して操作することにより、パイル体１で床などを掃いたり、拭いたりすることができる。
【００４６】
また、モップを使用しているうちにパイル体１の汚れが激しくなり、このパイル体１を取り換える場合には、保持具本体２１側の押しボタン２７ａ、２７ｂをそれぞれ弾性片３６ａ、３６ｂの弾性力に抗して押し込めば、前記右側の差し込み片３２側の係止突起３７ａ、３７ｂが図４（４Ｂ）に示すように、それぞれ係合凹部２８、２８ｂから外れるので、前記右側の保持片３２が折り畳み位置まで回動する。この右側の保持片３２が図５（４Ｂ）に示すように、折り畳み位置まで回動する際に、パイル体１における被保持部１２Ｂがその自重で右側の保持片３２から滑り落ちて外れ、それに続いてパイル体１の左側の被保持部１２Ａも右側保持片３１から外れ落ちる。つまり、前記押しボタン２７ａ、２７ｂを外側方から押し込むだけの簡単な操作により、左右の保持片３１、３２からパイル体１を取り外すことができる。
【００４７】
前記左右の保持片３１、３２の各先端部の上面３１ａ、３２ａを前記したように下り勾配に形成しなくても、前記右側の保持片３２の折り畳みによって、パイル体１を離脱させることが可能であるが、この実施形態のように、下り勾配に形成してあると、被保持片１２Ａ、１２Ａが滑降しやすく、パイル体１の取り外しを容易、かつ速やかに行うことができる。
【００４８】
ところで、前記係合手段４０においては、係止突起３７ａ（３７ｂ）と係合凹部２８ａ（２８ｂ）とを逆の構成とすることも可能である。つまり、図７に示すように、前記係止突起３７ａ（３７ｂ）を保持具本体２１の側壁２２ａ（２２ｂ）側に設ける一方、前記係合凹部２８ａ（２８ｂ）を前記弾性片３６ａ（３６ｂ）の先端部に設けても同様の効果が発揮される。
【００４９】
また、前記係合解除手段５０において、前記実施形態では、保持具本体２１の側壁２２ａ（２２ｂ）に切り込み形成した弾性片部２６ａ（２６ｂ）に押しボタン２７ａ（２７ｂ）を設け、押し込み操作して前記係合状態を解除させたが、この押しボタン式に限られるものではなく、例えば、前記側壁２２ａ（２２ｂ）に、前記弾性片３６ａ（３６ｂ）に対して押し込み可能なカム部を有するレバーを枢支して、レバーを押圧する操作により、前記係合状態を解除する構成も可能である。
【００５０】
ところで、前記保持具本体２１に対して左右両方の保持片３１、３２を折り畳み可能に構成することも可能であるが、上記実施形態のように、一方（左側）の保持片３１を保持具本体２１に一体形成し、他方（右側）の保持片３２のみを折り畳み可能にしたことにより、枢支構造、係止構造、さらには係止解除構造の簡素化を図ることができる。
【００５１】
本発明は上記実施形態に限定されるものではなく、本発明の技術的思想を逸脱しない範囲における種々の変形例・設計変更などをその技術的範囲内に包含することは云うまでもない。
【産業上の利用可能性】
【００５２】
本発明に係る清掃部材保持具、清掃部材及び清掃用具において、前記清掃部材が汚れた場合、使用者が直接清掃部材に触れることなく、簡単に清掃部材を交換することができる。清掃用具を構成する清掃部材保持具の構造が簡素化されるから、前記清掃部材保持具の組み立て工程を簡素化することができ、清掃部材保持具の製造コストを低減することができる。また、前記清掃部材保持具の構造が簡素化されるから、構成部材の破損や欠落などの可能性が減少し、清掃用具の歩留まりや寿命を格段に向上させることができる。
【図面の簡単な説明】
【００５３】
【図１】本発明の実施形態に係るモップ用清掃部材保持具を備えたモップを示す外観斜視図である。
【図２】モップ用清掃部材保持具を示す分解斜視図である。
【図３】図１のＸ−Ｘ線に沿った底面断面図である。
【図４】（４Ａ）保持片が突出した状態において、図１のＹ−Ｙ線に沿った断面図である。（４Ｂ）保持片が折り畳まれた状態において、図１のＹ−Ｙ線に沿った断面図である。
【図５】（５Ａ）保持片を突出させてパイル体を差し込み保持させる状態の説明である。（５Ｂ）保持片を折り畳ませてパイル体を外す状態の説明図である。
【図６】係止突起の先端面形状の説明図である。
【図７】係合手段の変形例の説明図である。
【図８】従来のモップ用清掃部材保持具の説明図である。
【符号の説明】
【００５４】
１              清掃部材（パイル体）
２              清掃部材保持具
３              柄
４              連結部
１１            基材部
１１ａ          紐状体
１２Ａ、１２Ｂ  被保持部
１２ａ、１２ｂ  開口
２１            保持具本体
２２ａ、２２ｂ  側壁
２４ａ、２４ｂ  軸受け用ボス部
２５ａ、２５ｂ  軸受け孔
２６ａ、２６ｂ  弾性片部
２７ａ、２７ｂ  押しボタン
２８ａ、２８ｂ  係合孔部
３５ａ、３５ｂ  枢軸
３６ａ、３６ｂ  弾性片
３７ａ、３７ｂ  係止突起
４０            係合手段
５０            係合解除手段
１０１          連結部
１０２          保持具本体
１０３          保持片
１０５          係合孔
１０６          係止片
１０７          清掃部材（パイル体）
１０７ａ        被保持部
１０７ｂ        被保持部
３７０ａ        傾斜面
【図１】
2005237587.tif 000003
【図２】
2005237587.tif 000004
【図３】
2005237587.tif 000005
【図４】
2005237587.tif 000006
【図５】
2005237587.tif 000007
【図６】
2005237587.tif 000008
【図７】
2005237587.tif 000009
【図８】
2005237587.tif 000010